(57)【特許請求の範囲】
【請求項１】
映像コンテンツの閲覧機能およびブックマーク登録機能を有する複数の端末装置に映像コンテンツとメタデータとを放送網または通信網を通して配信する配信管理サーバと、前記複数の端末装置から提供された情報に基づいて前記端末装置における映像コンテンツまたは映像コンテンツに含まれる個別の映像シーンの登録状況および閲覧状況を分析する閲覧状況分析サーバとが通信網によって結ばれた映像配信システムであって、
前記閲覧状況分析サーバは、
外部機器との通信を行う通信部と、
前記通信部を通して、前記複数の端末装置における映像コンテンツまたは映像コンテンツに含まれる個別の映像シーンのブックマーク登録状況および閲覧状況を表す情報を含む外部情報を取得する外部情報取得部と、
前記外部情報取得部によって取得された情報に基づいて、該当する前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定する起動サイト選定部と、
前記起動サイト選定部によって選定された起動サイトを表す起動サイト情報を前記通信部から前記配信管理サーバに供給する起動サイト情報供給部と、を含んで構成され、
前記配信管理サーバは、
外部機器との通信を行う通信部と、
前記閲覧状況分析サーバから前記通信部を通して受信した起動サイト情報を前記通信部を通して前記端末装置に通知する起動サイト情報通知部と、
前記端末装置からの要求に対応した映像コンテンツまたは映像コンテンツに含まれる個別の映像シーン、および、映像コンテンツまたは映像コンテンツに含まれる個別の映像シーンのメタデータを、前記通信部から前記放送網または通信網を通して該当する前記端末装置に配信するコンテンツ等配信部と、を含んで構成されていることを特徴とする映像配信システム。
【請求項２】
前記閲覧状況分析サーバは、更に、前記通信部を通して前記端末装置から通知される前記端末装置でブックマーク登録された映像コンテンツまたは映像コンテンツに含まれる個別の映像シーン若しくはこれらに関する情報へのアクセス頻度に基づいて前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部を含んで構成されていることを特徴とする請求項１に記載の映像配信システム。
【請求項３】
前記閲覧状況分析サーバは、更に、前記ブックマーク枠形成部で形成されたブックマーク枠に関係する複数の前記閲覧サイトについて前記起動サイトとして端末装置に提示する際の優先度を設定する優先度設定部を含んで構成されていることを特徴とする請求項２に記載の映像配信システム。
【請求項４】
前記閲覧状況分析サーバは前記ブックマーク枠形成部で形成されたブックマーク枠のメタデータに関連するユーザを嗜好の傾向または属性により区分したユーザ嗜好属性クラスタを形成するユーザ嗜好属性クラスタ形成部を含んで構成されていることを特徴とする請求項２に記載の映像配信システム。
【請求項５】
前記閲覧状況分析サーバは、
前記ブックマーク枠形成部で形成されたブックマーク枠に関係する複数の前記閲覧サイトについて前記起動サイトとして端末装置に提示する際の優先度を設定する優先度設定部と、
前記ブックマーク枠形成部で形成されたブックマーク枠のメタデータに関連するユーザを嗜好の傾向または属性により区分したユーザ嗜好属性クラスタを形成するユーザ嗜好属性クラスタ形成部と、
をさらに含み、
前記ブックマーク枠形成部によって形成されたブックマーク枠、前記優先度設定部によ
って設定された優先度、前記ユーザ嗜好属性クラスタ形成部によって形成されたユーザ嗜好属性クラスタの登録を受け付けるメタデータデータベースサーバが更に設けられていることを特徴とする請求項２に記載の映像配信システム。
【請求項６】
外部機器との通信を行う通信部と、
前記通信部を通して、映像コンテンツとメタデータとを放送網または通信網を通して配信する配信管理サーバから該配信を受ける受信機能と映像コンテンツの閲覧機能およびブックマーク登録機能を有する複数の端末装置と通信を行い、前記複数の端末装置における映像コンテンツまたは映像コンテンツに含まれる個別の映像シーンのブックマーク登録状況および閲覧状況を表す情報を含む外部情報を取得する外部情報取得部と、
前記外部情報取得部によって取得された情報に基づいて、該当する前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定する起動サイト選定部と、
前記起動サイト選定部によって選定された起動サイトを表す起動サイト情報を前記通信部から前記配信管理サーバが介在する既定の経路で該当する端末装置に供給する起動サイト情報供給部と、
を含んで構成されていることを特徴とする閲覧状況分析サーバ。
【請求項７】
前記通信部を通して前記端末装置から通知される前記端末装置でブックマーク登録された映像コンテンツまたは映像コンテンツに含まれる個別の映像シーン若しくはこれらに関する情報へのアクセス頻度に基づいて前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部を更に含んで構成されていることを特徴とする請求項６に記載の閲覧状況分析サーバ。
【請求項８】
前記ブックマーク枠形成部で形成されたブックマーク枠に関係する複数の前記閲覧サイトについて前記起動サイトとして端末装置に提示する際の優先度を設定する優先度設定部を更に含んで構成されていることを特徴とする請求項７に記載の閲覧状況分析サーバ。
【請求項９】
映像コンテンツの閲覧機能およびブックマーク登録機能を有する複数の端末装置に映像コンテンツとメタデータとを放送網または通信網を通して配信する配信管理サーバと、前記複数の端末装置から提供された情報に基づいて前記端末装置における映像コンテンツまたは映像コンテンツに含まれる個別の映像シーンの登録状況および閲覧状況を分析する閲覧状況分析サーバとが通信網によって結ばれた映像配信システムに適用される映像配信方法であって、
前記閲覧状況分析サーバにおいて、前記複数の端末装置と通信を行い、前記通信によって取得された情報に基づいて前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定し、前記選定された起動サイトを表す起動サイト情報を前記配信管理サーバに供給し、
前記配信管理サーバにおいて、前記閲覧状況分析サーバから受信した起動サイト情報を前記配信管理サーバに含まれる通信部を通して前記端末装置に通知し、前記端末装置からの要求に対応した映像コンテンツまたは映像コンテンツに含まれる個別の映像シーン、および、映像コンテンツまたは映像コンテンツに含まれる個別の映像シーンのメタデータを該当する前記端末装置に配信することを特徴とする映像配信方法。
【請求項１０】
映像コンテンツとメタデータとを放送網または通信網を通して配信する配信管理サーバから該配信を受ける受信機能と映像コンテンツの閲覧機能およびブックマーク登録機能を有する複数の端末装置と通信を行い、前記複数の端末装置から映像コンテンツまたは映像コンテンツに含まれる個別の映像シーンのブックマーク登録または閲覧に関係する情報の提供を受けて前記端末装置における映像コンテンツまたは映像コンテンツに含まれる個別の映像シーンの登録状況および閲覧状況を表す情報を含む外部情報を取得し、該取得された外部情報に基づいて、該当する端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定し、該選定された起動サイトを表す起動サイト情報を該当する端末装置に供給することを特徴とする閲覧管理方法。
【発明の詳細な説明】
【技術分野】
【０００１】
本発明は、映像コンテンツの閲覧機能を有する複数の端末装置と前記複数の端末装置から映像コンテンツの閲覧に関係する情報の提供を受けて前記端末装置におけるコンテンツの閲覧状況を分析する閲覧状況分析サーバとが通信網によって結ばれ前記サーバが前記複数の端末装置における映像コンテンツの閲覧状況を分析する映像配信システム、閲覧状況分析サーバ、映像配信方法、閲覧管理方法に関する。
【背景技術】
【０００２】
近年、通信網を介して所望の映像を端末装置を用いて閲覧し、該閲覧した映像のうち、閲覧者の嗜好に適った映像や有益と思われる映像にブックマーク登録を行って、再度の閲覧に便ならしめるといった映像コンテンツの利用方法が普及している。
また一方、上述のような映像コンテンツは極めて多様なメタデータを伴なっていることが多く、これらのメタデータを有効に活用すれば、ブックマーク登録された映像コンテンツに関連する一群のメタデータついて、或る価値基準からみたときの価値の多寡（例えば、商業的価値の程度）をメタデータに依拠して評価できる可能性がある。
【０００３】
このような状況にあって、ユーザが所望に応じたコンテンツを容易に検索できるようにし、また、コンテンツ提供者も、そのコンテンツの評価を容易に入手できるようにしたシステムが提案されている（例えば、特許文献１参照）。
この特許文献１の提案では、ユーザによるコンテンツの視聴状況のデータに基づいて、コンテンツの評価を行い、記録しておくこれにより、ユーザの所望に叶ったコンテンツを簡単に検索できるようにしている。この評価や記録に関するユーザからの情報の収集と分析、および、分析結果を反映させてユーザにコンテンツを提供する等の情報の管理は、管理サーバが主体となって、ネットワークを通して結ばれた評価集計サーバ、配信サーバ、その他の関連するサーバと連携して実行される。コンテンツに関するユーザの嗜好は評価集計サーバにおいて分析され、この分析を経た評価結果のデータが管理サーバに供給される。
【０００４】
一方、映像コンテンツに関する個別のシーンを利用するといった映像コンテンツの新しい利用形態を提供するべく、個別のシーンに関するメタデータを生成すると共に、或る一連の個別シーンでなるカットシーンを特定可能にしておき、ユーザの端末装置から上記メタデータによってカットシーンを任意に検索可能にしたシステムが提案されている（例えば、特許文献２参照）。
【０００５】
特許文献２の提案では、映像コンテンツタイトルを識別する映像ＩＤとタイムコード（再生時刻情報）との組み合わせからなる「カットシーン特定情報」によって映像コンテンツ中の時間的に連続する一連の個別シーンを特定するようにしている。メタデータによって選択されたカットシーンは、該当するサーバからユーザの端末装置に供給される。
また一方、映像コンテンツ中でユーザが着目したシーンについて記録し、後のタイミングでの該当シーンの確実な検索や再生等に関し効率的管理を可能にしようとするシステムが提案されている（例えば、特許文献３参照）。
【０００６】
特許文献３の提案では、映像コンテンツに対応するブックマークＩＤを閲覧要求に応じて管理サーバから端末装置に供給し、該供給を受けた端末装置において録画再生装置における所望の映像コンテンツを特定し、該特定された映像コンテンツをサーバから端末装置に供給可能にしている。
更にまた、コンテンツへアクセスするためのコンテンツ情報を、コンテンツ視聴履歴に基づいてユーザ毎に生成、蓄積しておき、該コンテンツ情報がユーザに提供されるようにしたシステムが提案されている（例えば、特許文献４参照）。
【０００７】
特許文献４の提案では、コンテンツ情報とは、コンテンツのお勧め情報であるとされ、このコンテンツのお勧め情報が、コンテンツ情報受信装置である携帯電話機やＰＤＡ等に供給され、ユーザの所望に叶ったコンテンツの選択が容易になるようにしている。
また、動体通信端末で実際に再生されたコンテンツのランキング情報の取得が可能になる移動体通信端末、サーバ及び情報提供方法が提案されている（例えば、特許文献５参照）。
【０００８】
特許文献５の提案では、複数の端末装置におけるコンテンツの再生状況に関する情報をネットワーク上のサーバで収集し、コンテンツの再生回数に関するランク付けの情報を生成する。そして、生成したコンテンツのランキング情報をサーバから各端末装置に供給する。
更にまた、ユーザの嗜好によりあったコンテンツを選択することができる番組選択装置および番組選択方法が提案されている（例えば、特許文献６参照）。
【０００９】
特許文献６の提案では、ユーザが録画した番組の閲覧操作履歴を用いて、ユーザの嗜好を抽出し、ユーザの嗜好にあった番組を選択するようにしている。この場合に、閲覧端末に関する情報からユーザの番組に対する閲覧集中度を算出してユーザの嗜好を割り出している。
【先行技術文献】
【特許文献】
【００１０】
【特許文献１】特開２００３−１６０９５号公報
【特許文献２】特開２００９−２７２８１６号公報
【特許文献３】特開２０１０−８７５９４号公報
【特許文献４】特開２００９−７１６２４号公報
【特許文献５】特開２００８−３３８２８号公報
【特許文献６】特開２００８−９９３１２号公報
【発明の概要】
【発明が解決しようとする課題】
【００１１】
しかしながら、特許文献１所載の技術では、例えば映像シーン（動画シーン）に関するメタデータの閲覧及び関連情報を取得する為に利用したサイトのＵＲＬ等の履歴情報は収集されず、このためメタデータに基づくユーザの嗜好を分析できない。従って、動画に含まれる多様な情報要素に対するユーザの興味の傾向が把握できない。その為、動画や関連する商品或いは人物に関するサイトを効率よく提示することは困難である。
【００１２】
また、特許文献２の技術では、映像コンテンツ中の一連の個別シーンでなるカットシーンをメタデータによって検索し利用可能にするものであるとはいえ、その実現には大きな課題を残す。
即ち、映像コンテンツ中の何れのカットシーンに対しても網羅的に検索可能にするためには、膨大な量のメタデータを予め生成しておくことを要する。実際にユーザの便宜を考えるなら、数万有余にのぼるカットシーンに逐一メタデータを準備しなくてはならず、このための作業量が過大なものとなる。
【００１３】
更にまた、多様化し且つ短期間のうちに傾向が推移してゆくユーザの嗜好によく適合したメタデータを生成するには、同じカットシーンに対して複数のメタデータを準備しなくてはならず、この点でも準備作業は困難を極める。
一方、特許文献３の技術は、映像コンテンツ中でユーザが着目したシーンを、後のタイミングで検索や再生等に供し得るように、当該映像コンテンツを特定するブックマークＩＤを準備しておくものであり、上掲の特許文献１と相通ずるものである。
【００１４】
特許文献３の技術においても、例えば映像シーン（動画シーン）に関するメタデータの閲覧及び関連情報を取得する為に利用したサイトのＵＲＬ等の履歴情報は収集されず、このためメタデータに基づくユーザの嗜好を分析できず、動画に含まれる多様な情報要素に対してユーザの興味の対象が把握できない。従って、動画や関連する商品、人物に関するサイトでの注目される要素に対する検索や、例えば人気度といった優先度に関する要素よるソートができなない。また、このような要素を基準にした要否判定をすることができない。
【００１５】
また、特許文献４の技術は、コンテンツのお勧め情報を、コンテンツ情報受信装置である携帯電話機やＰＤＡ等に供給して、ユーザの所望に叶った映像コンテンツの選択を容易ならしめるものであるが、斯く言うコンテンツのお勧め情報は、映像コンテンツ中のシーンには対応せず、従って、この点において、上掲の特許文献１や特許文献３と同列の技術である。
【００１６】
更に、特許文献５の技術では、コンテンツの再生回数に関するランキング情報を生成し、該情報をサーバから各端末装置に供給するが、動画シーンではなくコンテンツ全体（画像、音）に対する履歴だけに基づく嗜好判定（ランキング付け）であるため、動画シーンや対応するメタデータや対応する関連情報に対する嗜好は確認できない。
更にまた、特許文献６では、閲覧端末に関する情報からユーザの番組に対する閲覧集中度を算出してユーザの嗜好を割り出しているが、動画シーンではなく動画全体に対する履歴（予約、録画、再生、複製）だけに基づく嗜好判定であるため、動画シーンや対応するメタデータや対応する関連情報に対する嗜好は確認できない。
【００１７】
本発明は上述のような状況に鑑みてなされたものであり、ブックマーク登録された映像コンテンツまたは映像コンテンツに含まれる個別の映像シーンに関係するメタデータを効率的に利用して、当該映像コンテンツまたは映像コンテンツに含まれる個別の映像シーンに関するユーザの嗜好を割り出し、この嗜好に適ったコンテンツまたは映像シーンまたは映像シーンのメタデータの選択を支援することを可能にする具体的且つ有効な映像配信システム、閲覧状況分析サーバ、映像配信方法、閲覧管理方法を提供することを目的とする。
【課題を解決するための手段】
【００１８】
上記課題を解決するために、茲に、以下に列記する技術を提案する。尚、周知の通り、このブックマーク機能とは、閲覧中のページを後日再度閲覧できるように、閲覧中のページのＵＲＬ（Uniform Resource Locator）を保存（登録）しておく機能のことである。このブックマーク機能を用いれば、一度閲覧したページを簡単な操作で再度閲覧することが可能となる。ブックマークの登録は、ＷＷＷブラウザで所謂お気に入りに登録することと略同義であるが、以下の記述においては、総じてブックマークの語を用いている。
【００１９】
（１）映像コンテンツの閲覧機能およびブックマーク登録機能を有する複数の端末装置に映像コンテンツとメタデータとを放送網または通信網を通して配信する配信管理サーバと、前記複数の端末装置から提供された情報に基づいて前記端末装置における映像コンテンツまたは映像コンテンツに含まれる個別の映像シーンの登録状況および閲覧状況を分析する閲覧状況分析サーバとが通信網によって結ばれた映像配信システムであって、
前記閲覧状況分析サーバは、
外部機器との通信を行う通信部と、
前記通信部を通して、前記複数の端末装置における映像コンテンツまたは映像コンテンツに含まれる個別の映像シーンのブックマーク登録状況および閲覧状況を表す情報を含む外部情報を取得する外部情報取得部と、
前記外部情報取得部によって取得された情報に基づいて、該当する前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定する起動サイト選定部と、
前記起動サイト選定部によって選定された起動サイトを表す起動サイト情報を前記通信部から前記配信管理サーバに供給する起動サイト情報供給部と、を含んで構成され、
前記配信管理サーバは、
外部機器との通信を行う通信部と、
前記閲覧状況分析サーバから前記通信部を通して受信した起動サイト情報を前記通信部を通して前記端末装置に通知する起動サイト情報通知部と、
前記端末装置からの要求に対応した映像コンテンツまたは映像コンテンツに含まれる個別の映像シーン、および、映像コンテンツまたは映像コンテンツに含まれる個別の映像シーンのメタデータを、前記通信部から前記放送網または通信網を通して該当する前記端末装置に配信するコンテンツ等配信部と、を含んで構成されていることを特徴とする映像配信システム。
【００２０】
上記（１）の映像配信システムは、映像コンテンツの閲覧機能およびブックマーク登録機能を有する複数の端末装置に映像コンテンツとメタデータとを放送網または通信網を通して配信する配信管理サーバと、前記複数の端末装置から提供された情報に基づいて前記端末装置における映像コンテンツまたは映像コンテンツに含まれる個別の映像シーンの登録状況および閲覧状況を分析する閲覧状況分析サーバとが通信網によって結ばれている。
【００２１】
その閲覧状況分析サーバでは、その通信部が、外部機器との通信を行う。また、その外部情報取得部が、前記通信部を通して、前記複数の端末装置における映像コンテンツまたは映像コンテンツに含まれる個別の映像シーンのブックマーク登録状況および閲覧状況を表す情報を含む外部情報を取得する。更に、その起動サイト選定部が、前記外部情報取得部によって取得された情報に基づいて、該当する前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定する。そして、その起動サイト情報供給部が、前記起動サイト選定部によって選定された起動サイトを表す起動サイト情報を前記通信部から前記配信管理サーバに供給する。
【００２２】
また、その配信管理サーバでは、その通信部が、外部機器との通信を行う。また、その起動サイト情報通知部が、前記閲覧状況分析サーバから前記通信部を通して受信した起動サイト情報を前記通信部を通して前記端末装置に通知する。更に、そのコンテンツ等配信部が、前記端末装置からの要求に対応した映像コンテンツまたは映像コンテンツに含まれる個別の映像シーン、および、映像コンテンツまたは映像コンテンツに含まれる個別の映像シーンのメタデータを、前記通信部から前記放送網または通信網を通して該当する前記端末装置に配信する。
【００２３】
（２）前記閲覧状況分析サーバは、更に、前記通信部を通して前記端末装置から通知される前記端末装置でブックマーク登録された映像コンテンツまたは映像コンテンツに含まれる個別の映像シーン若しくはこれらに関する情報へのアクセス頻度に基づいて前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部を含んで構成されていることを特徴とする（１）の映像配信システム。
【００２４】
上記（２）の映像配信システムでは、（１）の映像配信システムにおいて特に、更に、ブックマーク枠形成部を含んで構成され、このブックマーク枠形成部が、前記通信部を通して前記端末装置から通知される前記端末装置でブックマーク登録された映像コンテンツまたは映像コンテンツに含まれる個別の映像シーン若しくはこれらに関する情報へのアクセス頻度に基づいて前記端末装置で登録された各ブックマークにそれぞれ対応する映像コンテンツまたは映像コンテンツに含まれる個別の映像シーンの各一連のメタデータ群としての各個のブックマーク枠をそれぞれ形成する。
【００２５】
（３）前記閲覧状況分析サーバは、更に、前記ブックマーク枠形成部で形成されたブックマーク枠に関係する複数の前記閲覧サイトについて前記起動サイトとして端末装置に提示する際の優先度を設定する優先度設定部を含んで構成されていることを特徴とする（２）の映像配信システム。
上記（３）の映像配信システムでは、（２）の映像配信システムにおいて特に、更に、優先度設定部を含んで構成され、この優先度設定部が、前記ブックマーク枠形成部で形成されたブックマーク枠に関係する複数の前記閲覧サイトについて前記起動サイトとして端末装置に提示する際の優先度を設定する。
【００２６】
（４）前記閲覧状況分析サーバは前記ブックマーク枠形成部で形成されたブックマーク枠のメタデータに関連するユーザを嗜好の傾向または属性により区分したユーザ嗜好属性クラスタを形成するユーザ嗜好属性クラスタ形成部を含んで構成されていることを特徴とする（２）の映像配信システム。
上記（４）の映像配信システムでは、（２）の映像配信システムにおいて特に、更に、ユーザ嗜好属性クラスタ形成部を含んで構成され、このユーザ嗜好属性クラスタ形成部が、前記ブックマーク枠形成部で形成されたブックマーク枠のメタデータに関連するユーザを嗜好の傾向または属性により区分したユーザ嗜好属性クラスタを形成する。
【００２７】
（５）前記閲覧状況分析サーバは、前記ブックマーク枠形成部で形成されたブックマーク枠に関係する複数の前記閲覧サイトについて前記起動サイトとして端末装置に提示する際の優先度を設定する優先度設定部と、前記ブックマーク枠形成部で形成されたブックマーク枠のメタデータに関連するユーザを嗜好の傾向または属性により区分したユーザ嗜好属性クラスタを形成するユーザ嗜好属性クラスタ形成部と、をさらに含み、前記ブックマーク枠形成部によって形成されたブックマーク枠、前記優先度設定部によって設定された優先度、前記ユーザ嗜好属性クラスタ形成部によって形成されたユーザ嗜好属性クラスタの登録を受け付けるメタデータデータベースサーバが更に設けられていることを特徴とする（２）の映像配信システム。
上記（５）の映像配信システムでは、（２）の映像配信システムにおいて特に、閲覧状況分析サーバは、優先度設定部と、ユーザ嗜好属性クラスタ形成部とを含み、更に、メタデータデータベースサーバが設けられ、このメタデータデータベースサーバが、前記ブックマーク枠形成部によって形成されたブックマーク枠、前記優先度設定部によって設定された優先度、前記ユーザ嗜好属性クラスタ形成部によって形成されたユーザ嗜好属性クラスタの登録を受け付ける。
【００２８】
（６）外部機器との通信を行う通信部と、
前記通信部を通して、映像コンテンツとメタデータとを放送網または通信網を通して配信する配信管理サーバから該配信を受ける受信機能と映像コンテンツの閲覧機能およびブックマーク登録機能を有する複数の端末装置と通信を行い、前記複数の端末装置における映像コンテンツまたは映像コンテンツに含まれる個別の映像シーンのブックマーク登録状況および閲覧状況を表す情報を含む外部情報を取得する外部情報取得部と、
前記外部情報取得部によって取得された情報に基づいて、該当する前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定する起動サイト選定部と、
前記起動サイト選定部によって選定された起動サイトを表す起動サイト情報を前記通信部から前記配信管理サーバが介在する既定の経路で該当する端末装置に供給する起動サイト情報供給部と、
を含んで構成されていることを特徴とする閲覧状況分析サーバ。
【００２９】
上記（６）の閲覧状況分析サーバでは、その通信部が、外部機器との通信を行う。また、その外部情報取得部が、前記通信部を通して、映像コンテンツとメタデータとを放送網または通信網を通して配信する配信管理サーバから該配信を受ける受信機能と映像コンテンツの閲覧機能およびブックマーク登録機能を有する複数の端末装置と通信を行い、前記複数の端末装置における映像コンテンツまたは映像コンテンツに含まれる個別の映像シーンのブックマーク登録状況および閲覧状況を表す情報を含む外部情報を取得する。更にまた、その起動サイト選定部が、前記外部情報取得部によって取得された情報に基づいて、該当する前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定する。そして、その起動サイト情報供給部が、前記起動サイト選定部によって選定された起動サイトを表す起動サイト情報を前記通信部から前記配信管理サーバが介在する既定の経路で該当する端末装置に供給する。
【００３０】
（７）前記通信部を通して前記端末装置から通知される前記端末装置でブックマーク登録された映像コンテンツまたは映像コンテンツに含まれる個別の映像シーン若しくはこれらに関する情報へのアクセス頻度に基づいて前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部を更に含んで構成されていることを特徴とする（６）の閲覧状況分析サーバ。
【００３１】
上記（７）の閲覧状況分析サーバでは、（６）の閲覧状況分析サーバにおいて特に、更に、ブックマーク枠形成部を含んで構成され、このブックマーク枠形成部が、前記通信部を通して前記端末装置から通知される前記端末装置でブックマーク登録された映像コンテンツまたは映像コンテンツに含まれる個別の映像シーン若しくはこれらに関する情報へのアクセス頻度に基づいて前記端末装置で登録された各ブックマークにそれぞれ対応する映像コンテンツまたは映像コンテンツに含まれる個別の映像シーンの各一連のメタデータ群としての各個のブックマーク枠をそれぞれ形成する
【００３２】
（８）前記ブックマーク枠形成部で形成されたブックマーク枠に関係する複数の前記閲覧サイトについて前記起動サイトとして端末装置に提示する際の優先度を設定する優先度設定部を更に含んで構成されていることを特徴とする（７）の閲覧状況分析サーバ。
上記（８）の閲覧状況分析サーバでは、（７）の閲覧状況分析サーバにおいて特に、更に、優先度設定部を含んで構成され、この優先度設定部が、前記ブックマーク枠形成部で形成されたブックマーク枠に関係する複数の前記閲覧サイトについて前記起動サイトとして端末装置に提示する際の優先度を設定する。
【００３３】
（９）映像コンテンツの閲覧機能およびブックマーク登録機能を有する複数の端末装置に映像コンテンツとメタデータとを放送網または通信網を通して配信する配信管理サーバと、前記複数の端末装置から提供された情報に基づいて前記端末装置における映像コンテンツまたは映像コンテンツに含まれる個別の映像シーンの登録状況および閲覧状況を分析する閲覧状況分析サーバとが通信網によって結ばれた映像配信システムに適用される映像配信方法であって、
前記閲覧状況分析サーバにおいて、前記複数の端末装置と通信を行い、前記通信によって取得された情報に基づいて前記端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定し、前記選定された起動サイトを表す起動サイト情報を前記配信管理サーバに供給し、
前記配信管理サーバにおいて、前記閲覧状況分析サーバから受信した起動サイト情報を前記配信管理サーバに含まれる通信部を通して前記端末装置に通知し、前記端末装置からの要求に対応した映像コンテンツまたは映像コンテンツに含まれる個別の映像シーン、および、映像コンテンツまたは映像コンテンツに含まれる個別の映像シーンのメタデータを該当する前記端末装置に配信することを特徴とする映像配信方法。
【００３４】
（１０）映像コンテンツとメタデータとを放送網または通信網を通して配信する配信管理サーバから該配信を受ける受信機能と映像コンテンツの閲覧機能およびブックマーク登録機能を有する複数の端末装置と通信を行い、前記複数の端末装置から映像コンテンツまたは映像コンテンツに含まれる個別の映像シーンのブックマーク登録または閲覧に関係する情報の提供を受けて前記端末装置における映像コンテンツまたは映像コンテンツに含まれる個別の映像シーンの登録状況および閲覧状況を表す情報を含む外部情報を取得し、該取得された外部情報に基づいて、該当する端末装置でブックマーク登録された映像コンテンツまたは映像コンテンツに含まれる個別の映像シーンを表す識別符号と該識別符号に対応付けられた付加情報とが登録されたサイトである一または複数の登録サイト、および、前記登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定し、該選定された起動サイトを表す起動サイト情報を該当する端末装置に供給することを特徴とする閲覧管理方法。
【発明の効果】
【００３５】
ブックマーク登録された映像コンテンツまたは映像コンテンツに含まれる個別の映像シーンに関係するメタデータを効率的に利用して、当該映像コンテンツまたは映像コンテンツに含まれる個別の映像シーンに関するユーザの嗜好を割り出すことを可能にする具体的且つ有効な映像配信システム、閲覧状況分析サーバ、映像配信方法、閲覧管理方法を具現できる。
【図面の簡単な説明】
【００３６】
【図１】本発明の一つの実施の形態としての映像配信システムの構成を表す概念図である。
【図２】図１の映像配信システムにおける動作を表すシーケンスチャートである。
【図３】図２に続く部分のシーケンスチャートである。
【図４】本発明の一つの実施の形態としての閲覧状況分析サーバを表す機能ブロック図である。
【図５】図１の映像配信システムにおける配信管理サーバを表す機能ブロック図である。
【図６】本発明の一つの実施の形態としての閲覧状況分析サーバで形成されるブックマーク枠のデータ構造等を例示する図である。
【図７】図５に表記のブックマーク枠に関する評価の判定の閾値を例示する図である。
【発明を実施するための形態】
【００３７】
以下に、図面を参照して本発明の実施の形態について詳述することにより、本発明を明らかにする。
（映像配信システムの構成例）
図１は、本発明の一つの実施の形態としての映像配信システムの構成を表す概念図である。
図１において、映像配信システム１００は、端末装置１１０が、閲覧状況分析サーバ１２０、配信管理サーバ１４０、映像データベースサーバ（図中、映像ＤＢサーバと略記）１６０、メタデータデータベースサーバ（図中、メタデータＤＢサーバと略記）１７０、および、メタデータサイト１８０と、通信網１３０および放送網１５０を通して、直接的或いは間接的に結ばれて構成されている。また、メタデータデータベースサーバ１７０はメタデータサイト１８０および配信管理サーバ１４０と結ばれている。
【００３８】
端末装置１１０は、携帯電話機１１１、ＰＤＡ（Personal Digital Assistant）１１２、ノート型パーソナルコンピュータ１１３、および、デスクトップ型パーソナルコンピュータ１１４等複数のものが該当し、これらを総称したものである。何れの端末装置１１０も映像コンテンツの閲覧機能およびブックマーク登録機能を有する。
映像データベースサーバ１６０は、例えば、ニュース番組やアニメーション等の種々の映像コンテンツまたは映像コンテンツに含まれる個別の映像シーンと、それらを特定するＩＤ（例えば、＃１、＃２、…等であり、以下、適宜に映像コンテンツＩＤという）とを供給可能に保持している。
【００３９】
メタデータデータベースサーバ１７０は、映像コンテンツＩＤに対応するメタデータ（例えば、ニュース番組やアニメーション等に関しては、それらのタイトルもこれに該当する）、および、詳細情報（例えば、特段の注目度を得るような取り扱い方等）を供給可能に保持している。
配信管理サーバ１４０は、配信時間と配信コンテンツリスト（例えば、＃１、＃２、…等のＩＤで表記）の情報に基づいて、映像データベースサーバ１６０およびメタデータデータベースサーバ１７０から映像コンテンツとこれに対応するメタデータを取得し、これらの映像コンテンツとメタデータとを放送網１３０または通信網１５０を通して複数の端末装置１１０（１１１、１１２、１１３、１１４）へ配信する。
【００４０】
閲覧状況分析サーバ１２０は、複数の端末装置１１０（１１１、１１２、１１３、１１４）から映像コンテンツまたは映像コンテンツに含まれる個別の映像シーンの登録または閲覧に関係する情報の提供を受けて端末装置１１０における映像コンテンツまたは映像コンテンツに含まれる個別の映像シーンの登録状況および閲覧状況を分析する。
そして、端末装置１１０（１１１、１１２、１１３、１１４）でブックマーク登録された映像コンテンツまたは映像コンテンツに含まれる個別の映像シーンを表す識別符号と該識別符号に対応付けられた付加情報（例えば、所謂口コミその他の書き込み情報）とが登録されたサイトである一または複数の登録サイト、および、登録された付加情報を閲覧するために利用されたサイトである一または複数の閲覧サイトのうち映像コンテンツまたは映像コンテンツに含まれる個別の映像シーン若しくはこれらに関する情報へのアクセスに利用するサイトである起動サイトを選定する。ここに、これらに関する情報とは、例えば、所謂口コミその他の書き込み情報等である。
【００４１】
起動サイトは、具体的には、動画コンテンツやテキストといったある範囲の情報に対してテキスト等によるコミュニケーションを提供するWebサイト（例えば、Facebook（登録商標）、mixi（登録商標））や詳細情報の検索を提供するWebサイト（例えば、Google、Yahoo）のアドレス（例えば、 http://www.facebook.com/）やそのサイトであり、ここでは、それらを示す画像サムネイルもこれに該当するものとする。
【００４２】
閲覧状況分析サーバ１２０は、更に、端末装置１１０でブックマーク登録された映像コンテンツまたは映像コンテンツに含まれる個別の映像シーン若しくはこれらに関する情報へのアクセス頻度に関する情報を端末装置１１０から通知される。そして、通知された情報に基づいて端末装置１１０で登録された各ブックマークにそれぞれ対応する映像コンテンツまたは映像コンテンツに含まれる個別の映像シーンの各一連のメタデータ群としての各個のブックマーク枠をそれぞれ形成する。
【００４３】
閲覧状況分析サーバ１２０は、更にまた、形成したブックマーク枠に関係する複数の閲覧サイトについて起動サイトとして端末装置１１０に提示する際の優先度（以下、適宜、起動優先度と表記する）を設定する。
閲覧状況分析サーバ１２０は、また、ブックマーク枠のメタデータに関連するユーザを嗜好の傾向または属性により区分したユーザ嗜好属性クラスタを形成する。ユーザ嗜好属性クラスタは、例えば、ユーザの性別や年齢に応じて区分が設定されたユーザ属性クラスタや、ユーザの嗜好に基づいて区分が設定されたユーザ嗜好クラスタ等が考えられる。
【００４４】
ユーザ属性クラスタとしては、（＃１１：１０代女性）、（＃１２：１０代男性）、（＃１３：２０代女性）、（＃１４：２０代男性）等のクラスタが設定され得る。
ユーザ嗜好クラスタとしては、（＃２１：ニュース動画を週に１０回以上視聴する）、（＃２２：お笑い動画を週に３回以上視聴する）等のクラスタが設定され得る。
一方、メタデータサイト１８０は主として次のような３つの機能を有する。即ち、第１には、端末装置１１０に対して、テキスト、画像、音声、映像などの情報の表示鳴動を提供する機能である。この機能はＷｅｂ３層構成におけるＷｅｂサーバ層の役割である。第２には、呼処理及び管理やデータベース機能への検索処理やデータの加工処理を実施する機能である。この機能はＷｅｂ３層構成におけるＷｅｂアプリケーションの役割である。第３には、テキスト、画像、音声、映像の情報を保持する機能である。この機能はＷｅｂ３層構成におけるデータベース層の役割である。
【００４５】
端末装置１１０から起動サイトの情報に含まれるメタデータサイト１８０のアドレスによって端末装置１１０がメタデータサイト１８０へアクセスする。端末装置１１０とメタデータサイト１８０との間で予め規定されたＨＴＴＰや Ｗｅｂ ＡＰＩのようなプロトコルによって、端末装置１１０はメタデータサイト１８０が保持するテキスト、画像、音声、映像を取得する。
テキスト情報にメタデータサイト１８０にユーザ投稿によって映像ＩＤと映像シーンＩＤ（例えば、video#123 secen#5  ）が記載が可能な場合は対象のシーンと関係するテキスト情報等を効率的に取得することができる。
【００４６】
また、本例の映像配信システム１００では、閲覧状況分析サーバ１２０にディスプレイ１９０aを備えた制御端末１９０が接続され、閲覧状況分析サーバ１２０による管理対象となる情報をこのディスプレイ１９０aに表示可能に構成されている。
尚、本実施の形態における映像配信システム１００における情報（データ、信号）の伝送路には、より詳細には、有線区間と無線区間の区分や、介在する所要の装置ないし設備の存在がある。しかしながら、本発明の技術思想に言及するについて、上述のような区分や設備の状況を問うものではないため、これらについての特段の解説は省略する。
【００４７】
（映像配信システムの動作）
次に、図１の映像配信システムの動作について、図２および図３のシーケンスチャートを参照して説明する。尚、図２および図３は一連の動作シーケンスを表しているが、表記の便宜上、２つに分けて描かれている。
この映像配信システム１００では、閲覧状況分析サーバ１２０が、各端末装置１１０（１１１、１１２、１１３、１１４）から、映像コンテンツまたは映像コンテンツに含まれる個別の映像シーンの登録状況および閲覧状況に関する情報を収集する。
【００４８】
この情報収集に先立って、先ず、閲覧状況分析サーバ１２０は、各端末装置１１０に対して、端末装置におけるブックマーク登録やコンテンツ閲覧等のための操作状況を表す端末操作データの提供の可否を問合せる（Ｓ２０１）。
図示の例の場合は、ステップＳ２０１での問合せに肯定的な応答（端末操作データ送信可能応答）を返す状況を想定している（Ｓ２０２）。
ステップＳ２０２での端末操作データ送信可能通知を受けた閲覧状況分析サーバ１２０は、端末装置１１０に対して、端末操作データ送信動作（そのような動作モード）を起動させる指示を行う（Ｓ２０３）。
【００４９】
一方、既述のように、配信管理サーバ１４０は、配信時間と配信コンテンツリストの情報に基づいて、映像データベースサーバ１６０およびメタデータデータベースサーバ１７０から映像コンテンツとこれに対応するメタデータ等（映像シーンＩＤおよび起動サイトＵＲＬ等を含む）を取得し、これらの映像コンテンツおよび上記のメタデータ等を放送網１３０または通信網１５０を通して各端末装置１１０へ配信する（Ｓ２０４、Ｓ２０５、Ｓ２０６）。
【００５０】
本実施の形態では、ステップＳ２０６において、例えば、映像ＩＤ＃１に対して起動優先度１位のサイトはＡ、起動優先度２位のサイトはＢ、起動優先度３位のサイトはＣというように、一つの映像（映像シーン）に対して、複数のサイトについてその起動優先度の初期値を設定する。
端末装置１１０では、ステップＳ２０６でメタデータ等（映像シーンＩＤおよび起動サイトＵＲＬ等を含む）を受信して保持し、この起動サイトＵＲＬによって、端末装置１１０に備えられたブラウザ等のアプリケーションを用いて取得されたコンテンツが表示鳴動される（Ｓ２０７）。
【００５１】
次いで、閲覧状況分析サーバ１２０は、ステップＳ２０３での指示を受けて端末操作データ送信モードで動作するようになっている端末装置１１０に対して、ブックマークの登録時点、閲覧時点、その他指定した時点でのデータ提供を指示する（Ｓ２０８）。
端末装置１１０は、ステップＳ２０８で指示されたデータ提供時点をデータ提供のタイミング情報として自装置に登録する（Ｓ２０９）。
端末装置１１０は、ステップＳ２０９で登録したデータ提供のタイミングの到来を待機し（Ｓ２１０：Ｎｏ）、そのタイミングに到ると（Ｓ２１０：Ｙｅｓ）、ブックマーク登録した映像シーンＩＤを読み出す（Ｓ２１１）。
【００５２】
そして、映像シーンＩＤおよびユーザが作成したメタデータをメタデータサイト１８０に提供する（Ｓ２１２）。
更に、端末装置１１０は、ステップＳ２０９で登録した閲覧のタイミングの到来を待機し（Ｓ２１４：Ｎｏ）、そのタイミングに到ると（Ｓ２１４：Ｙｅｓ）、映像シーンＩＤおよびユーザによる端末装置への操作データ（閲覧サイトＵＲＬ、登録サイトＵＲＬ等を含む）を閲覧状況分析サーバ１２０に送信する（Ｓ２１５）。
続く動作シーケンスは、図３を参照して説明する。
【００５３】
端末装置１１０では、ステップＳ２０９で登録したその他のデータ提供のタイミングの到来を待機し（Ｓ２１６：Ｎｏ）、そのタイミングに到ると（Ｓ２１６：Ｙｅｓ）、ユーザによる端末装置への操作データ（閲覧サイトＵＲＬ、登録サイトＵＲＬ等を含む）を閲覧状況分析サーバ１２０に提供する（Ｓ２１７）。
閲覧状況分析サーバ１２０では、ステップＳ２１５およびステップＳ２１７等におけるデータの収集、蓄積を、該収集、蓄積された該当データの件数が既定の閾値に到るまで継続し（Ｓ２１８：Ｎｏ）、この件数が、既定の閾値を超えるに到ったときに（Ｓ２１８：Ｙｅｓ）、既述のブックマーク枠を形成する処理を実行する（Ｓ２１９）。
【００５４】
上述のステップＳ２１９の処理は、換言すれば、端末装置１１０に保存される映像シーンＩＤに対応する閲覧サイトＵＲＬおよび登録サイトＵＲＬのアクセス頻度に応じてブックマーク枠を形成する処理である。
尚、ブックマーク枠とその形成処理については、後に他の図面を参照して更に具体的に説明する。
そして、ステップＳ２１９で形成されたブックマーク枠に関係する複数の閲覧サイトについて起動サイトとして端末装置１１０に提示する際の起動優先度を設定する（Ｓ２２０）。
クラスタと映像（映像シーン）ＩＤに対応して設定される起動優先度のランク付けの例を次の表に示す。尚、この表における「mixi（登録商標）」「アットコスメ（登録商標）」「モバゲー（登録商標）」「Twitter（登録商標）」は何れもサイト名である。
【００５５】
【表１】
0005551520.tif 000002
【００５６】
ステップＳ２２０に次いで、閲覧状況分析サーバ１２０は、該当するブックマーク枠に関連する映像シーンＩＤとこれに対応する閲覧サイトＵＲＬおよび登録サイトＵＲＬ、ならびに、ユーザ嗜好属性クラスタをメタデータデータベースサーバ１７０に伝送してここに登録する（Ｓ２２１）。
その後、タイマにより一定時間の計時を行い（Ｓ２２２：Ｎｏ）、計時期間が満了すると（Ｓ２２２：Ｙｅｓ）、閲覧状況分析サーバ１２０は、メタデータサイト１８０に対して閲覧サイトＵＲＬおよび登録サイトＵＲＬの存否を確認（照会）する（Ｓ２２３）。
【００５７】
そして、ステップＳ２２３での照会により、Ｓ２２１で登録された映像シーンＩＤとこれに対応する閲覧サイトＵＲＬおよび登録サイトＵＲＬの存否を判断し、更に、不要なサイトか否かの判断、危険なサイトか否かの判断を実行する（Ｓ２２４）。
ステップＳ２２４で、不要なサイトや危険なサイトであると判断された場合には（Ｓ２２４：Ｎｏ）、該当する閲覧サイトＵＲＬや登録サイトＵＲＬについてそれらの削除や優先度の変更を、閲覧状況分析サーバ１２０からメタデータデータベースサーバ１７０に発する（Ｓ２２５）。
【００５８】
以降、配信管理サーバ１４０が、映像データベースサーバ１６０およびメタデータデータベースサーバ１７０から映像コンテンツとこれに対応する映像メタデータ等（映像シーンＩＤ、ユーザ属性クラスタ、閲覧サイトＵＲＬ、登録サイトＵＲＬ等を含む）を取得し、これらの映像コンテンツおよび上記の映像メタデータ等を放送網１３０または通信網１５０を通して各端末装置１１０へ配信する（Ｓ２２６、Ｓ２２７、Ｓ２２８）。
【００５９】
ステップＳ２２８では、既述のステップＳ２０６において設定された起動優先度の初期値が更新される。例えば、映像ＩＤ＃１とユーザクラスタ＃１に対して起動優先度壱位のサイトをＢ、起動優先度２位のサイトをＡ、起動優先度３位のサイトをＣと設定する。また、映像ＩＤ＃１とユーザクラスタ＃２に対して起動優先度１位のサイトをＣ、起動優先度２位のサイトをＢ、起動優先度3位のサイトをＡと設定する。
【００６０】
更に具体的な例を次に示す。
映像ＩＤ＃１とユーザクラスタ＃１に対して起動優先度１位のサイトがmixi（http://mixi.jp/）、起動優先度２位のサイトがwebR25（http://r25.yahoo.co.jp/）、起動優先度３位のサイトがYoutube（登録商標）のある動画（http://www.youtube.com）となったと仮定する。
このときに端末装置１１０を使用するユーザクラスタ＃１が２５歳未満であった場合は、映像ＩＤ＃１とユーザクラスタ＃１に対して起動優先度１位のサイトがmixi（http://mixi.jp/）、起動優先度２位のサイトがYoutubeのある動画（http://www.youtube.com）、起動優先度３位のサイトがGoogle（登録商標）であるとする。尚、この場合はGoogleが優先度４位だったとして繰上げされたとする。
【００６１】
一方、Youtubeのある動画（http://www.youtube.com）が削除されていた場合は、起動優先度１位のサイトがmixi（http://mixi.jp/）、起動優先度２位のサイトがwebR25（http://r25.yahoo.co.jp/）、起動優先度３位のサイトがGoogleであるとする。尚、この場合もGoogleが優先度４位だったとして繰上げられる。
そして、端末装置１１０では、ステップＳ２２８で閲覧サイトＵＲＬおよび登録サイトＵＲＬを受信して保持し、この起動サイトＵＲＬによって、端末装置１１０に備えられたブラウザ等のアプリケーションを用いて取得されたコンテンツが表示鳴動される（Ｓ２２９）。
【００６２】
以上述べた本発明の実施の形態によれば、このシステムのオペレータ（管理者）は、既述のような閲覧状況分析サーバ１３０の機能を利用して、特定の意図に合わせて登録サイトを集中させることが可能である。これについて次に説明する。
即ち、本実施の形態では、閲覧状況分析サーバ１３０の機能によって、上述のステップＳ２０６によって初期値として設定した起動優先度をステップＳ２２８において更新してユーザ（端末装置）に提示している。
【００６３】
今、仮にユーザに起動サイトを提示しなかった場合には、mixi以外の食べログ（登録商標）（http://tabelog.com/）といった口コミ投稿のコミュニケーションサイトにコメントを登録すること可能性がある。これに対し、本実施の形態におけるように、起動サイトをユーザ（端末装置）に提示することにより口コミが多くあるサイト、または、自分の嗜好と似る他のユーザが利用するサイトがmixiであると認識されるようになる。このため、mixiを利用してコメントを登録することが可能となる。即ち、起動サイトを提示しなかった場合よりも早期にかつ効率的にコミュニケーションを活性化させることが可能となる。
【００６４】
また、このとき、例えば、.ニュースのような映像ＩＤ＃１の口コミ情報はTwitter（登録商標）にしたいとオペレータが意図した場合には、上述の映像ＩＤ＃１とユーザクラスタ＃１に対してオペレータの意図に合わせて起動優先度１位をTwitter（http://twitter.com/）に設定する。
また、ユーザ履歴からの起動優先度１位のサイトをmixi（http://mixi.jp/）、起動優先度２位のサイトをwebR２５（http://r25.yahoo.co.jp/）、起動優先度３位のサイトをYoutubeのある動画（http://www.youtube.com）と設定する。
【００６５】
上述のように起動優先度の処理を実行させることによって、オペレータが自ら意図するサイトに情報を集中させたい場合は、上述のように起動サイトを提示しなかった場合に比し早期にかつ効率よくコミュニケーションを活性化されることが可能となる。尚、意図するサイトに情報を集中させたい場合とは、例えば、mixiはユーザの設定により一部閲覧不可能な口コミがあるが、Twitterは全ての口コミを閲覧可能であるため、より多くの口コミを把握したい場合はオペレータがtwitterを起動させたいといったような場合である。
【００６６】
更に、本発明の実施の形態によれば、サイト登録時に、映像に加えてシーン映像に対して払いだされたＩＤを付加しているため、次のような点で優れる。
即ち、口コミ投稿が可能なサイト（例えば、twitter、mixi）にコメントを登録する場合に、投稿欄に映像ＩＤとシーンＩＤ（例えば、video#123 secen#5 ）を自動的に追加する。これにより端末装置１１０がシーンＩＤに対応するメタデータ（この場合は口コミ）をそれぞれのサイト（即ち、twitter、mixi）から取得し、そのメタデータに対応する端末装置に備えられたブラウザ等のアプリケーションを用いてコンテンツを取得し表示鳴動することが可能となる。
【００６７】
例えばtwitterのに映像ＩＤとシーンＩＤ（例えば、video#123 secen#5 ）をツイート（記述）したテキスト情報として「video#123 secen#5 このシーンは涙した。」や、 「video#123 secen#5 このシーンのレストランからの景色は最高。」等のツイートへの返信、或いは、リツイートのテキスト情報としての「@aaa video#123 secen#5  私も感動した。」や、 「レストランのサイトアドレスはhttp://restaurant .com RT @bbb video#123 secen#5 このシーンのレストランからの景色は最高。」等のtwitterが公開するAPI（Application Programming Interface）から端末装置が取得し、この端末装置に備えられたアプリケーションを用いてコンテンツを取得し表示鳴動することが可能となる。
【００６８】
（閲覧状況分析サーバの構成例）
図４は、本発明の一つの実施の形態としての閲覧状況分析サーバを表す機能ブロック図である。
閲覧状況分析サーバ１２０は、図１を参照して説明した映像配信システム１００に適用されるものである。
この閲覧状況分析サーバ１２０は、図４に示されたように、通信部４１０、外部情報取得部４２０、起動サイト選択部４３０、起動サイト情報供給部４４０、ブックマーク枠形成部４５０、優先度設定部４６０、および、ユーザ嗜好属性クラスタ形成部４７０、を備えている。
通信部４１０は、これを通して閲覧状況分析サーバ１２０が外部機器との通信を行うための機能部である。
また、外部情報取得部４２０は、通信部４１０を通して、複数の端末装置１１０（１１１、１１２、１１３、１１４）における映像コンテンツまたは映像コンテンツに含まれる個別の映像シーンのブックマーク登録状況および閲覧状況表す情報を含む外部情報を取得する。
【００６９】
更に、起動サイト選定部４３０は、外部情報取得部４２０によって取得された情報に基づいて、該当する端末装置１１０（１１１、１１２、１１３、１１４）でブックマーク登録された映像コンテンツまたは映像コンテンツに含まれる個別の映像シーンを表す識別符号と該識別符号に対応付けられた付加情報とが登録されたサイトである一または複数の登録サイト、および、該登録された付加情報を閲覧するために利用されたサイトである一または複数の閲覧サイトのうち前記映像コンテンツまたは映像コンテンツに含まれる個別の映像シーン若しくはこれらに関する情報へのアクセスに利用するサイトである起動サイトを選定する。
【００７０】
既述の通り、起動サイトは、具体的には、動画コンテンツやテキストといったある範囲の情報に対してテキスト等によるコミュニケーションを提供するWebサイト（例えば、Facebook、mixi）や詳細情報の検索を提供するWebサイト（例えば、Google、Yahoo）のアドレス（例えば、 http://www.facebook.com/）やそのサイトであり、ここでは、それらを示す画像サムネイルもこれに該当するものとする。
【００７１】
また、起動サイト情報供給部４４０は、起動サイト選定部４３０によって選定された起動サイトを表す起動サイト情報を通信部４１０から配信管理サーバ１４０に供給する。
更に、ブックマーク枠形成部４５０は、通信部４１０を通して端末装置１１０（１１１、１１２、１１３、１１４）から通知される端末装置でブックマーク登録された映像コンテンツまたは映像コンテンツに含まれる個別の映像シーン若しくはこれらに関する情報へのアクセス頻度に基づいて、これらの端末装置１１０（１１１、１１２、１１３、１１４）で登録された各ブックマークにそれぞれ対応する映像コンテンツまたは映像コンテンツに含まれる個別の映像シーンの各一連のメタデータ群としての各個のブックマーク枠をそれぞれ形成する。これらのブックマーク枠の具体例については、図面を参照して後述する。
【００７２】
更に、優先度設定部４６０は、ブックマーク枠形成部４５０で形成されたブックマーク枠に関係する複数の閲覧サイトについて上述の起動サイトとして端末装置１１０（１１１、１１２、１１３、１１４）に提示する際の優先度を設定する。
更にまた、ユーザ嗜好属性クラスタ形成部４７０は、ブックマーク枠形成部４５０で形成されたブックマーク枠のメタデータに関連するユーザを嗜好の傾向または属性により区分したユーザ嗜好属性クラスタを形成する。このユーザ嗜好属性クラスタの具体例としては、既述の通り、ユーザの性別や年齢に応じて区分が設定されたユーザ属性クラスタや、ユーザの嗜好に基づいて区分が設定されたユーザ嗜好クラスタ等が考えられる。
【００７３】
（配信管理サーバの構成例）
図５は、図１の映像配信システムにおける配信管理サーバを表す機能ブロック図である。
この配信管理サーバ１４０は、通信部５１０、起動サイト情報通知部５２０、および、コンテンツ等配信部５３０を含んで構成される。
通信部５１０は、外部機器との通信を行うための機能部である。
また、起動サイト情報通知部５２０は、閲覧状況分析サーバ１２０から通信部５１０を通して受信した起動サイト情報を、通信部５１０を通して端末装置１１０（１１１、１１２、１１３、１１４）に通知する。
そして、コンテンツ等配信部５３０は、端末装置１１０（１１１、１１２、１１３、１１４）からの要求に対応した映像コンテンツまたは映像コンテンツに含まれる個別の映像シーン、および、映像コンテンツまたは映像コンテンツに含まれる個別の映像シーンのメタデータを、通信部５１０から上述の放送網または通信網を通して該当する端末装置１１０（１１１、１１２、１１３、１１４）に配信する。
【００７４】
（ブックマーク枠のデータ構造の例）
図６は、本発明の一つの実施の形態としての閲覧状況分析サーバで形成されるブックマーク枠のデータ構造等を例示する図である。
図６に表記のデータ構造は、ブックマーク枠ＩＤが＃１のデータ、および、ブックマーク枠ＩＤが＃２のデータに関するものである。これらのブックマーク枠のデータは、図示の通り、同一の映像シーン（そのＩＤ）および同一の登録アプリケーションに対応している。そして、登録サイトＵＲＬ（＃１のもの）、登録ユーザ数、閲覧アプリケーション、閲覧サイトＵＲＬ（＃１のもの）、閲覧ユーザ数、および、閲覧評価、ならびに、起動サイトＵＲＬ（＃１のもの）を異にする。
また、図７は、図５に表記のブックマーク枠に関する評価の判定の閾値を例示する図である。図示のような、登録サイトの存否、不要或いは危険サイトとして該当の有無や等級等は、図３を参照して既述のステップＳ２２４で実行される評価の処理に適用される項目である。
以上に説明した本発明の実施の形態によれば、前掲の各文献所載の技術における既述の課題は一掃される。
【００７５】
（特許文献の技術に対する優位性）
即ち、特許文献１や特許文献３〜６におけるような、動画に含まれる多様な情報要素に対するユーザの興味の傾向をメタデータに基づいて把握することができないという課題は、本発明の実施の形態によれば解決される。即ち、ある動画のシーンにおいて紹介された商品が複数ある場合（例えば、ホテルとレストラン）に何れか一方または双方に対する興味の傾向が把握できる。また参照したサイトを把握できるため、商品に対して求めていた付加情報をも推定できる。例えば、ユーザが食べログサイトを見ていたという履歴があれば、それはホテルの近くのレストラン情報であり、ホテルとレストランとの双方に一定の興味があるものと推定できる。閲覧状況分析サーバ１２０で実行されるこのような履歴による分析により、履歴取得以降にこのシーンを視聴するユーザには参照回数が多かったサイトを紹介するといった方法でオペレータが効率的に情報提供を行うことが可能になる。また、動画に関連する情報（例えば、ホテル）に対して他のユーザが強く興味を示したことを把握できるとともに、興味を示したユーザ層の如何（例えば、mixiサイト利用が多い、Twitterサイト利用が多い等）を把握できるでユーザも効率よく情報収集が可能になる。
【００７６】
また、特許文献２における、数万有余にのぼるカットシーンに逐一メタデータを準備しなくてはならず、このための作業量が過大なものとなってしまうといった第１の課題も、本発明の実施の形態によれば解決される。即ち、上述のようにサイト閲覧履歴をメタデータとすることによって、テキスト等のメタデータを生成することなくメタデータを提供できる。この場合、閲覧した履歴がなければ、ユーザは、それ自体が誰も関連情報に興味がないことを意味する旨了解でき、オペレータも参照されないテキストデータを生成する必要がなくなる。また、多様化し且つ短期間のうちに傾向が推移してゆくユーザの嗜好によく適合したメタデータを生成することが困難であるといった第２の課題も解決される。即ち、サイト閲覧履歴を活用することから、嗜好を勘案したユーザクラスタ毎のランキング毎にメタデータやサイトを提供することによって複数種類のメタデータの提供が可能となる。また、1週間の閲覧サイトランキング、年間閲覧サイトランキングを提供するといったことで、時間経過による嗜好の変化にも対応可能である。
【００７７】
（附言：携帯電話機のユーザが享受できる利便性について）
上述の端末装置１１０が特に携帯電話機１１１である場合には、画面サイズが比較小さいので動画と並行して多くの情報を表示することは難しい。しかしながら、本発明の実施の形態によれば、端末装置の表示部が狭い場合であっても、ユーザへ価値の高い情報が優先されて表示される為、効率的な情報取得が可能である。
【産業上の利用可能性】
【００７８】
上述のように、動画コンテンツやテキストといったある範囲の情報に対してテキスト等によるコミュニケーションを提供するWebサイトについて、早期にかつ効率的にコミュニケーションを活性化させるために利用可能であり、有体物の取引の活性化に類する産業上の利用可能性を有する。
【符号の説明】
【００７９】
１００………………映像配信システム
１１０………………端末装置
１１１………………携帯電話機
１１２………………ＰＤＡ
１１３………………ノート型パーソナルコンピュータ
１１４………………デスクトップ型パーソナルコンピュータ
１２０………………閲覧状況分析サーバ
１３０………………通信網
１４０………………配信管理サーバ
１５０………………放送網
１６０………………映像データベースサーバ
１７０………………メタデータデータベースサーバ
１８０………………メタデータデータサイト
１９０………………制御端末
４１０………………通信部
４２０………………外部情報取得部
４３０………………起動サイト選択部
４４０………………起動サイト情報供給部
４５０………………ブックマーク枠形成部
４６０………………優先度設定部
４７０………………ユーザ嗜好属性クラスタ形成部
５１０………………通信部
５２０………………起動サイト情報通知部
５３０………………コンテンツ等配信部
【図１】
0005551520.tif 000003
【図２】
0005551520.tif 000004
【図３】
0005551520.tif 000005
【図４】
0005551520.tif 000006
【図５】
0005551520.tif 000007
【図６】
0005551520.tif 000008
【図７】
0005551520.tif 000009